(57)【要約】  本発明は、生地（１）の表面にバー（３０）を取り付けるために生地（１）の裏側から適用するリベット（１０、４０）に係る。リベット（１０、４０）は、円板状のベース（１１）と、ベース（１１）からベース（１１）と同心状に突出するシャンク（１２）とを備える。前記ベース（１１）は、シャンク（１２）の基端の周囲においてシャンク（１２）の突出側とは反対側に窪む環状の凹部（１３）と、凹部（１３）より半径方向外側のフランジ（１４）とを含む。前記フランジ（１４）は、その上面（１５）からシャンク（１２）の突出側に隆起する複数の隆起部（２０、２０ａ、２０ｂ、５０）を形成してなる。前記隆起部（２０、２０ａ、２０ｂ、５０）は、前記フランジ（１４）の上面（１５）において、周方向等間隔に形成され、各前記隆起部（２０、２０ａ、２０ｂ、５０）の頂部は湾曲面により形成されている。前記凹部（１３）は、前記フランジ（１４）と隣接する、半径方向外側かつ上方に傾斜する外側傾斜面（１３ｃ）を有し、前記各隆起部（２０、２０ａ、２０ｂ、５０）は、凹部（１３）の外側傾斜面（１３ｃ）から連続的に延びる内側傾斜面（２１、２１ａ、２１ｂ）を有する。
2016038666.tif 000002
【特許請求の範囲】
【請求項１】
生地（１）の表面にバー（３０）を取り付けるために生地（１）の裏側から適用するリベット（１０、４０）であって、
円板状のベース（１１）と、ベース（１１）からベース（１１）と同心状に突出するシャンク（１２）とを備え、
前記ベース（１１）は、シャンク（１２）の基端の周囲においてシャンク（１２）の突出側とは反対側に窪む環状の凹部（１３）と、凹部（１３）より半径方向外側のフランジ（１４）とを含み、
前記フランジ（１４）は、その上面（１５）からシャンク（１２）の突出側に隆起する複数の隆起部（２０、２０ａ、２０ｂ、５０）を形成してなるリベット。
【請求項２】
前記隆起部（２０、２０a、２０ｂ、５０）は、前記フランジ（１４）の上面（１５）おいて、周方向等間隔に形成され、前記隆起部（２０、２０a、２０ｂ、５０）の頂部は湾曲面により形成されていることを特徴とする請求項１に記載のリベット。
【請求項３】
前記凹部（１３）は、底面（１３ｂ）と、前記底面（１３ｂ）から延設され、前記フランジ（１４）と隣接する、半径方向外側かつ上方に傾斜する外側傾斜面（１３ｃ）を有し、前記各隆起部（２０、２０ａ、２０ｂ、５０）は、凹部（１３）の外側傾斜面（１３ｃ）から連続的に延びる内側傾斜面（２１、２１ａ、２１ｂ）を有する請求項１又は２に記載のリベット。
【請求項４】
前記隆起部（２０、２０ａ、５０）の内側傾斜面（２１、２１ａ）の傾斜角度は、前記凹部（１３）の外側傾斜面（１３ｃ）の傾斜角度と異なることを特徴とする請求項３に記載のリベット。
【請求項５】
前記隆起部（２０、５０）の内側傾斜面（２１）は、フランジ（１４）の上面（１５）よりも前記凹部（１３）の底面（１３ｂ）側で、前記外側傾斜面（１３ｃ）から隆起していることを特徴とする請求項４に記載のリベット。
【請求項６】
前記隆起部（２０、２０ａ、２０ｂ、５０）は、リベット（１０、４０）のベース（１１）の半径方向に沿う長さよりも周方向に沿う長さの方が長い請求項１〜３のいずれか１項に記載のリベット。
【発明の詳細な説明】
【技術分野】
【０００１】
本発明はリベットに関し、特にジーンズのポケット口の補強等のために使用されるリベット（鋲）に関する。
【背景技術】
【０００２】
ジーンズのポケット口の止まり位置等には、例えば特開２０１４−１９９５３号公報や米国特許第１５８３４７２号明細書に示されるようにリベットとバーとの２部品によるかん止めと呼ばれる補強が一般的に施されている。このようなバーはジーンズの装飾の役割も果たしている。バーは、銅、真鍮製等の飾りボタンであり、中央の中空ドーム状の突起部と、突起部の基端部から半径方向外側に延びる円環板状の外周部とを有する。リベットは、バーを生地の表側に固定するために生地の裏側から適用される金属製の鋲であり、円板状のベースと、ベースから突出するシャンクとを有する。バーを生地に固定する場合、リベット打ち機を使用して、生地の表側に配置したバーに対し生地の裏側からリベットのシャンクを貫通させた後、バーの突起部の内側空間でシャンクを加締めるようにされる。【０００３】
近年、伸縮性のあるデニム生地や薄いデニム生地が開発され、これらを用いて製造されたジーンズが一般的に販売されている。このような伸縮性のある生地や薄い生地に従来のリベットとバーを適用した場合、バーとリベットとの間で生地を十分に保持できず、リベットの周りの生地が横引き力により引っ張られると、生地がずれ、横引き力が解除されても生地が完全に復元せず、皺が生じたり、あるいはリベットのシャンクが貫通した生地孔が拡大して、リベット及びバーが生地から外れ得るといった問題が生じた。そのため、伸縮性の生地や薄い生地からなるジーンズ等にはリベットとバーを適用することができなかった。
【特許文献１】特開２０１４−１９９５３号公報
【特許文献２】米国特許第１５８３４７２号明細書
【発明の概要】
【発明が解決しようとする課題】
【０００４】
本発明は、上記のような問題点に鑑みてなされたもので、伸縮性のある生地や薄い生地に対して有効に適用することができるリベットを提供することにある。
【課題を解決するための手段】
【０００５】
上記課題を解決するため、本発明によれば、生地の表面にバーを取り付けるために生地の裏側から適用するリベットであって、円板状のベースと、ベースからベースと同心状に突出するシャンクとを備え、前記ベースは、シャンクの基端の周囲においてシャンクの突出側とは反対側に窪む環状の凹部と、凹部より半径方向外側のフランジとを含み、前記フランジは、その上面からシャンクの突出側に隆起する複数の隆起部を形成してなるリベットが提供される。【０００６】
本発明では、リベットのベースにおける凹部より半径方向外側の部分であるフランジの上面に複数の隆起部を設けたことにより、リベットを用いて生地にバーを取り付けた状態で、生地はバーとリベットのベースとの間に挟まれ、ベースの凹部に入り込む。更に、生地は、各隆起部により周方向等間隔で部分的にバーに対し圧縮させられる。そのため、伸縮性のある生地や薄い生地であっても、各隆起部で生地をバーに対ししっかりと押さえ付けることができ、リベットの周りの生地が引っ張られても生地が安易にずれるようなことはない。【０００７】
本発明において、バーとは、ジーンズのポケット口の止まり位置等に補強や装飾のために取り付けられる飾りボタンであり、一般に銅、真鍮製であるが、これに限定されるものではない。リベットはバーを生地に取り付けるための鋲であり、一般に、鉄、銅、アルミニウム、ニッケル、チタン、亜鉛、又はこれらの合金等の金属製であるが、樹脂製であってもよい。【０００８】
本発明の一実施形態において、前記隆起部は、前記フランジの上面おいて、周方向等間隔に形成され、前記隆起部の頂部は湾曲面により形成されている。各隆起部は頂部が湾曲面であるため、生地を傷付けるようなことはない。【０００９】
本発明の一実施形態において、前記凹部は、底面と、底面から延設され、前記フランジと隣接する、半径方向外側かつ上方に傾斜する外側傾斜面を有し、前記各隆起部は、凹部の外側傾斜面から連続的に延びる内側傾斜面を有する。この場合、リベットのベースの凹部の外側傾斜面からフランジの上面に隆起する隆起部の内側傾斜面が連続するため、リベットの周りの生地が引っ張られても、生地の各隆起部での引っ掛かりが大きく、この点も生地のずれの防止に寄与すると考えられる。【００１０】
本発明の一実施形態において、前記隆起部の内側傾斜面の傾斜角度は、前記凹部の外側傾斜面の傾斜角度の傾斜角度と異なる。このように隆起部の内側傾斜面の傾斜角度が凹部の外側傾斜面の傾斜角度と異なるため、凹部の外側傾斜面は、隆起部の内側傾斜面によって周方向に沿って波打った形状となる。【００１１】
本発明の一実施形態において、前記隆起部の内側傾斜面は、フランジの上面よりも前記凹部の底面側で、前記外側傾斜面から隆起している。これにより、生地の引っ掛かりを大きくすることができる。また、本発明の一実施形態において、前記隆起部は、リベットのベースの半径方向に沿う長さよりも周方向に沿う長さの方が長い。
【発明の効果】
【００１２】
本発明では、リベットのベースにおける凹部より半径方向外側の部分であるフランジの上面に複数の隆起部を設けたことにより、リベットを用いて生地にバーを取り付けた状態で、生地は、バーとリベットのベースとの間に挟まれ、ベースの凹部に入り込み、更に、各隆起部により周方向等間隔で部分的にバーに対し押さえ付けられる。そのため、伸縮性のある生地や薄い生地であっても、リベットの周りの生地が引っ張られても生地が安易にずれるようなことはない。そのため、本発明に係るリベットは、伸縮性の生地や薄い生地からなるジーンズ等に有効に適用することができる。
【図面の簡単な説明】
【００１３】
【図１】図１は、本発明の一実施形態に係るリベットの上面図である。
【図２】図２は、図１のＡ−Ａ線に沿う断面図である。
【図３】図３は、図２の円で囲んだ部分の拡大図である。
【図４】図４は、リベットを用いてバーを生地に固定した状態を示す断面図である。
【図５】図５は、本発明の別の実施形態に係るリベットの上面図である。
【図６】図６は、隆起部の変形例を示す図３と同様の拡大図である。
【図７】図７は、隆起部の別の変形例を示す図３と同様の拡大図である。
【発明を実施するための形態】
【００１４】
以下、本発明に係るリベットの好適な実施形態を図面に基づいて説明するが、本発明はそれらの実施形態に限定されるものではなく、当業者は、請求の範囲及び均等の範囲内で適宜変更等がなされ得ることを理解する。図１は、本発明に係るリベット１０の上面図であり、図２は、図１のＡ−Ａ線に沿うリベット１０の断面図である。図３は、図２の円で囲った部分の拡大図である。リベット１０は金属製の鋲であり、例えば、鉄、銅、アルミニウム、ニッケル、チタン、亜鉛、これらの合金等の金属素材を冷間鍛造して形成され得る。リベット１０は、円板状のベース１１と、ベース１１の中央部からベース１１と同心状に上方（以下、上下は図２〜５、７及び８の紙面に基づく。）に突出する中実なシャンク１２とを備える。シャンク１２は、外径がほぼ一定の下方のシャンク胴部１２ａと、シャンク胴部１２ａの上端から上方へと外径が漸次縮小しつつ延びるシャンク頭部１２ｂとを有する。シャンク頭部１２ｂの先端１２ｃすなわちシャンク１２の先端１２ｃは、平坦な小円形状である。また、シャンク胴部１２ａの下端１２ｄすなわちシャンク１２の基端１２ｄは、後述するベース１１のフランジ１４の上面１５とほぼ同じ上下方向位置にある。
【００１５】
リベット１０のベース１１は、その上面側でシャンク１２の基端１２ｄの周囲に下方に窪む環状の凹部１３と、ベース１１における凹部１３より半径方向外側の部分であるフランジ１４とを含む。凹部１３とフランジ１４とは明確に区分されるものではないが、本明細書において、「凹部１３より半径方向外側の部分」とは、図３の破線Ｂよりも半径方向外側の部分を言うものとする。凹部１３は、シャンク１２の基端１２ｄから半径方向外側へと下方に緩やかに傾斜する内側傾斜面１３ａと、内側傾斜面１３ａの半径方向外側端から半径方向外側へと水平（水平とは、上下方向すなわちシャンク１２の軸方向に垂直な任意の面をいう。）に若干延びる底面１３ｂと、底面１３ｂの半径方向外側端から半径方向外側へと上方に、内側傾斜面１３ａよりも傾斜した傾斜角度を備える外側傾斜面１３ｃとから規定される。外側傾斜面１３ｃは、一例として４０〜８０度に設定され、本実施形態では４５度である。底面１３ｂは凹部１３の最も深い底をなす。フランジ１４を除くベース１１の下面１１ａは水平であり、凹部１３の底面１３ｂと平行である。下面１１ａはフランジ１４にも及び、下面１１ａの半径方向外側端は、凹部１３の外側傾斜面１３ｃの上端とほぼ同じ半径方向位置にある。フランジ１４の下部には、前記下面１１ａの半径方向外側端から半径方向外側かつ上方に傾斜する下面１４ａが存在する。下面１４ａの傾斜角度は、凹部１３の外側傾斜面１３ｃの傾斜角度よりも小さい。フランジ１４の上面１５は水平であり、フランジ１４の上面１５には、詳しくは後述するが、一例として６つの隆起部２０が周方向６０度間隔で設けられている。また、フランジ１４の外周側面１４ｂすなわちベース１４の外周側面１４ｂはほぼ上下方向に沿うが、外周側面１４ｂは、上面１５付近で半径方向内側へとわずかに湾曲しつつ上面１５と交差する。フランジ１４の内周側面１３ｃは、凹部１３の外側傾斜面１３ｃと同一であり、凹部１３の外側傾斜面１３ｃは、隆起部２０に対応する部分を除き、フランジ１４の上面１５と交差する。
【００１６】
次に、フランジ１４の隆起部２０について説明する。各隆起部２０は、フランジ１４の周方向に沿う長さがベース１１の半径方向に沿う長さよりも長く、フランジ１４の上面１５に沿う形状が長円形に近い形状である。各隆起部２０の外形は、角や尖った部分が無く、隆起部２０の頂部は滑らかな湾曲面により形成される。この点を以下に更に詳述する。図２には、２つの隆起部２０（２０Ａ）の半径方向に沿う断面が示されると共に、他の２つの隆起部２０（２０Ｂ）の長手側の側面すなわち周方向に沿う輪郭が示される。また、図３は図２の隆起部付近の断面を拡大した図である。隆起部２０は、全ての隆起部２０の全側面から滑らかな湾曲面によって繋がる上面２３を含む。隆起部２０は、リベット１０のベース１１の半径方向に沿う長さよりもベース１１の周方向に沿う長さのほうが長く形成されており、隆起部２０の上面２３は周方向ではほぼ水平となる。隆起部２０は、詳しくは後述する内側傾斜面２１と、内側傾斜面２１とは反対側で、フランジ外周側面１４ｂから上面２３へと滑らかに繋がる外側傾斜面２２とを含む。図２、図３から見られるように各隆起部２０は、フランジ１４の上面１５からシャンク１２の突出側に隆起し、隆起部２０は周方向等間隔に配置されている。さらに、本実施形態によれば隆起部２０は、シャンク１２と対向する内側傾斜面２１を備え、内側傾斜面２１は、フランジ１４の上面１５よりも底面側で凹部１３の外側傾斜面１３ｃから連続する。すなわち、隆起部２０の内側傾斜面２１は、隆起部２０の内側傾斜面２１とは反対側となる外側傾斜面２２よりも上下方向に長い面であり、内側傾斜面２１の傾斜角度は、凹部１３の外側傾斜面１３ｃの傾斜角度よりも大きい。換言すれば、隆起部２０の内側傾斜面２１は凹部１３の外側傾斜面１３ｃよりも急勾配であり、隆起部２０の内側傾斜面２１と凹部１３の外側傾斜面１３ｃによってフランジ１４の内周側面は周方向に沿って波打った形状となる。さらに換言すれば、隆起部２０はフランジ１４の上面１５に対して上方向に隆起するとともにシャンク１２に向けて隆起しているとも言える。図３を参照して、隆起部２０の内側傾斜面２１は、凹部１３の外側傾斜面１３ｃの上下方向ほぼ中間点から外側傾斜面１３ｃの傾斜角度よりもわずかに大きい傾斜角度、例えば０より大きく３度以下で上方に延びる。
【００１７】
本発明では、リベット１０に隆起部２０を６つ設けたが、隆起部の数はこれに限定されるものではなく、隆起部を３つ設けた例が後述される（図５参照）。隆起部の設定数の目安として、次の２点が挙げられる。１）リベット１０のフランジ１４の上面１５の隆起部対応部分を含む全面積における全突起部２０の上面１５に沿う面積の合計の割合は、８．５％〜２４．５％の範囲内が好ましい。２）フランジ１４の隆起部対応部分を含む周方向全長（図１の２点破線で示す半径方向幅中間の周方向長さ）における全隆起部２０のフランジ周方向（図１の２点破線）に沿う長さの合計の割合は、１１％〜２４％の範囲内が好ましい。これら１）及び２）と、リベット１０の実際の設計仕様から、隆起部の好ましい数は３つ〜６つとなる。本実施形態では、リベット１０のフランジ１４の上面１５の隆起部対応部分を含む全面積における全突起部２０の上面１５に沿う面積の合計の割合は約２４．５％である。フランジ１４の隆起部対応部分を含む周方向全長における全隆起部２０のフランジ周方向に沿う長さの合計の割合は、約２４％である。
【００１８】
図４は、上述したリベット１０を用いて例えば弾性糸などを織成あるいは編成された弾性繊維を含む伸縮性のある生地１にバー３０を固定した状態を示す断面図である。この状態で、リベット１０のシャンク１２は後述するように塑性変形している。生地１は表地１ａと裏地１ｂとが接合されてなるデニム生地である。バー３０は、真鍮製の板を絞り加工してなる飾りボタンであり、中央の中空ドーム状の突起部３１と、突起部３１の基端３１ａから半径方向外側かつ上方に若干延びる折り返し部３２と、折り返し部３２の上端から半径方向外側へとわずかに下方に傾斜しつつ延びる円環板状の外周部３３とを有する。突起部３１は、上方が閉じかつ下方に開放する内部空間３１ｂを規定する。内部空間３１ｂの径は、上閉端から下方へと漸次拡大して最大となった後、更に下方へとわずかに漸次縮小する。外周部３３の外径は、リベット１０のベース１１の外径よりもわずかに大きい。バー３０をリベット１０で生地１に固定する場合、図示しないリベット打ち機を使用して、生地１の表側に配置したバー３０に対し、生地１の裏側からリベット１０のシャンク１２を生地１に貫通させ、このシャンク１２をバー３０の突起部３１の内側空間３１ｂで加締める。これにより、図４に示すように、シャンク頭部１２ｂがバー３０の突起部３１の内側空間３１ｂをほぼ充満するように塑性変形し、また、シャンク胴部１２ａが上下方向に潰れつつ半径方向に拡張する。突起部３１の内部空間３１ｂの径が下方へとわずかに縮小するため、塑性変形したシャンク頭部１２ｂは突起部３１から抜けなくなる。
【００１９】
図４に示すリベット固定状態において、生地１は、リベット１０のベース１１とバー３０の外周部３３との間に挟まれ、ベース１１の凹部１３に入り込む。更に、生地１は、リベット１０のフランジ１４の６つの隆起部２０により、バー３０の外周部３３に対して周方向６０度間隔で部分的に圧縮させられる。このような隆起部２０による生地１の押さえ付けにより、リベット１０の周りの生地１がシャンク１２から離れる方向（以下、「横方向」という。）に引っ張られても、生地１が容易にずれるようなことはない。更に、隆起部２０の内側傾斜面２１が、凹部１３の外側傾斜面１３ｃよりも更にわずかに急であるため、生地１が横方向に引っ張られても、生地１の各隆起部２０での引っ掛かりが大きく、この点も生地１のずれの防止に寄与すると考えられる。また、内側傾斜面２１と外側傾斜面１３ｃはフランジ１４の内周側面において周方向に沿って波打った形状となっているのも生地１のずれの防止に寄与すると考えられる。更に凹部１３の底面１３ｂ、すなわち凹部１３の最も深い部分は、シャンク１２側よりもフランジ１４側に位置しているため、生地１が内側傾斜面２１に接触しやすく、この点も生地１のずれの防止に寄与すると考えられる。
【００２０】
図５は、本発明の別の実施形態に係るリベットの上面図である。このリベット４０は、３つの隆起部５０が周方向１２０度間隔で設けられている点を除き、上述したリベット１０と同じものであるため、参照番号４０、５０以外はリベット１０についてと同じ参照番号を付して説明を省略する。各隆起部５０は、外形が既述した隆起部２０と同じあり、そのため隆起部５０も内側傾斜面２１を含む。なお、この時のリベット４０のフランジ１４の上面１５の隆起部対応部分を含む全面積における全突起部５０の上面１５に沿う面積の合計の割合は約８．５％である。フランジ１４の隆起部対応部分を含む周方向全長における全隆起部５０のフランジ周方向に沿う長さの合計の割合は、約１１％である。
【００２１】
図６は、リベット１０における既述した隆起部２０の変形例である隆起部２０ａを示す図３と同様の拡大図である。この隆起部２０ａの内側傾斜面２１ａは、凹部１３（隆起部２０ａ及びその内側傾斜面２１ａ以外は、図３と同じであるため同じ参照番号を付す。以下、図７についても同じ。）の外側傾斜面１３ｃの上下方向ほぼ中間点から外側傾斜面１３ｃの傾斜角度よりもわずかに小さい傾斜角度、例えば０以上３度以下で上方に延びる。すなわち隆起部２０ａの内側傾斜面２１ａと凹部１３の外側傾斜面１３ｃによってフランジ１４の内周側面は周方向に沿って波打った形状となる。図７は、リベット１０における既述した隆起部２０の更なる変形例である隆起部２０ｂを示す図３と同様の拡大図である。この隆起部２０ｂの内側傾斜面２１ｂは、凹部１３の外側傾斜面１３ｃと同じ傾斜角度で上方に延びる。隆起部２０ａ、２０ｂの内側傾斜面２１ａ、２１ｂは、凹部１３の比較的急な外側傾斜面１３ｃと同じかほぼ同じ傾斜角度であっても、従来技術から比較すれば隆起部２０と同様に、リベット１０でバー２０が固定された生地１に横引力が生じても、生地１の各隆起部２０ａ、２０ｂでの引っ掛かりが大きく、生地１のずれを防ぐのに貢献すると考えられる。
【符号の説明】
【００２２】
１  生地
１０、４０  リベット
１１  ベース
１２  シャンク
１３  凹部
１３ｃ  外側傾斜面
１４  フランジ
１５  フランジの上面
２０、２０ａ、２０ｂ、５０  隆起部
２１、２１ａ、２１ｂ  隆起部の内側傾斜面
３０  バー
３１  突起部
３３  外周部
【図１】
2016038666.tif 000003
【図２】
2016038666.tif 000004
【図３】
2016038666.tif 000005
【図４】
2016038666.tif 000006
【図５】
2016038666.tif 000007
【図６】
2016038666.tif 000008
【図７】
2016038666.tif 000009
【国際調査報告】
2016038666.tif 000010
2016038666.tif 000011
2016038666.tif 000012
2016038666.tif 000013